(57)【要約】【課題】押鍵時における所望のタッチ重さを確保しながら、重りの取付けの際に鍵本体の木質部に亀裂を生じさせることなく、重りを鍵本体に容易に取り付けることができ、また、見栄えの良い鍵を得ることができる鍵盤楽器の鍵を提供する。【解決手段】前後方向に延び、左右の側面にそれぞれ凹部１４が形成されかつこれらの凹部１４を連通する連通孔１５が形成された木質部１１を有する回動自在の鍵本体２と、左右の凹部１４にそれぞれ収容され、連通孔１５に合致する取付孔３ａが形成された板状の２つの重り３、３と、２つの重り３、３の取付孔３ａ及び木質部１１の連通孔１５を貫通した状態で、２つの重り３、３を木質部１１に固定するリベット４と、を備えている。【選択図】図１
2014191254.tif 000002
【特許請求の範囲】
【請求項１】
前後方向に延び、左右の側面にそれぞれ凹部が形成されかつこれらの凹部を連通する連通孔が形成された木質部を有する回動自在の鍵本体と、
左右の前記凹部にそれぞれ収容され、前記連通孔に合致する取付孔が形成された板状の２つの重りと、
前記２つの重りの前記取付孔及び前記木質部の前記連通孔を貫通した状態で、当該２つの重りを当該木質部に固定する固定手段と、
を備えていることを特徴とする鍵盤楽器の鍵。
【請求項２】
前記固定手段は、前記２つの重りの取付孔及び前記木質部の連通孔を貫通するリベットを有しており、
前記２つの重りが、前記リベットによるかしめによって、前記木質部に固定されていることを特徴とする請求項１に記載の鍵盤楽器の鍵。
【請求項３】
前後方向に延びる木質部と、この木質部の少なくとも上面及び前面を覆うように設けられた合成樹脂製のカバー部とを有する回動自在の鍵本体と、
前記木質部に埋設され、当該木質部の表面から露出する部分が前記カバー部によって覆われた重りと、
を備えていることを特徴とする鍵盤楽器の鍵。
【請求項４】
前記木質部には、外方に開放する凹部が形成されており、
前記重りは、前記凹部に嵌入された状態で、前記木質部に埋設されていることを特徴とする請求項３に記載の鍵盤楽器の鍵。
【発明の詳細な説明】
【技術分野】
【０００１】
本発明は、ピアノなどの鍵盤楽器の鍵に関し、特に押鍵時における所望のタッチ重さを得るために重りを設けた鍵盤楽器の鍵に関する。
【背景技術】
【０００２】
従来、この種の鍵盤楽器の鍵として、例えば特許文献１に記載されたものが知られている。この鍵盤楽器の鍵は、前後方向に延びる木製の鍵本体と、この鍵本体に取り付けられ、鉄や銅などから成る金属製の重りとを備えている。鍵本体には、左右方向に貫通し、重りを取り付けるための取付孔が形成されている。この取付孔は、鍵本体の左右方向の全体にわたり、横断面が一定の円形に形成されている。また、重りは、鍵本体の取付孔とほぼ同じサイズの円柱状に形成され、両端面にそれぞれ、径方向の全体にわたって延びる突部が形成されている。
【０００３】
上記の重りを鍵本体に取り付ける際には、重りを鍵本体の取付孔に挿入し、重りの両端面をハンマーなどで加圧することにより、両突部を押し潰す。これにより、各突部は圧縮変形し、その長さ方向の両端部が重りの径方向に突出する。その結果、その突出した部分が、鍵本体の取付孔の内周面に食い込み、これにより、重りが鍵本体の取付孔に固定される。
【先行技術文献】
【特許文献】
【０００４】
【特許文献１】特開２００５−２６６０３５号公報
【発明の概要】
【発明が解決しようとする課題】
【０００５】
上述したように、上記の鍵では、重りの取付けの際に、その両端面の各突部の端部を鍵本体に食い込ませているため、その食い込む位置によっては、それを起点として鍵本体の取付孔の周囲に亀裂が生じるおそれがある。鍵本体にこのような亀裂が生じると、鍵の見栄えが悪くなり、鍵盤楽器の商品性も低下してしまう。また、重りの各突部に対する押し潰しが不十分な場合には、重りが鍵本体から脱落したり、重りが取付孔からはみ出して、隣接する鍵に接触したりするおそれもある。
【０００６】
本発明は、以上のような課題を解決するためになされたものであり、押鍵時における所望のタッチ重さを確保しながら、重りの取付けの際に鍵本体の木質部に亀裂を生じさせることなく、重りを鍵本体に容易に取り付けることができ、また、見栄えの良い鍵を得ることができる鍵盤楽器の鍵を提供することを目的とする。
【課題を解決するための手段】
【０００７】
上記の目的を達成するために、請求項１に係る発明は、前後方向に延び、左右の側面にそれぞれ凹部が形成されかつこれらの凹部を連通する連通孔が形成された木質部を有する回動自在の鍵本体と、左右の凹部にそれぞれ収容され、連通孔に合致する取付孔が形成された板状の２つの重りと、２つの重りの取付孔及び木質部の連通孔を貫通した状態で、２つの重りを木質部に固定する固定手段と、を備えていることを特徴とする。
【０００８】
この構成によれば、回動自在の鍵本体の木質部には、左右の側面にそれぞれ凹部が形成され、これらの凹部を連通する連通孔が形成されている。また、鍵本体に取り付けられる２つの重りの各々は、板状に形成され、木質部の凹部の収容された状態で連通孔に合致する取付孔が形成されている。これらの重りは、固定手段により、両重りの取付孔及び木質部の連通孔を貫通した状態で、木質部の左右の凹部にそれぞれ収容された状態で固定される。固定手段として、例えばリベットや、ボルト及びナットなどを採用することにより、重りの取付けの際に、重りの一部を鍵本体に食い込ませる従来と異なり、鍵本体の木質部に亀裂を生じさせることなく、押鍵時における所望のタッチ重さを確保しながら、重りを鍵本体に容易に取り付けることができ、また、見栄えの良い鍵を得ることができる。
【０００９】
請求項２に係る発明は、請求項１に記載の鍵盤楽器の鍵において、固定手段は、２つの重りの取付孔及び木質部の連通孔を貫通するリベットを有しており、２つの重りが、リベットによるかしめによって、木質部に固定されていることを特徴とする。
【００１０】
この構成によれば、固定手段としてリベットを採用し、そのリベットを、２つの重りの取付孔及び木質部の連通孔に貫通させてかしめることにより、両重りを鍵本体の木質部の左右両側にしっかりと固定することができる。
【００１１】
請求項３に係る発明は、前後方向に延びる木質部と、この木質部の少なくとも上面及び前面を覆うように設けられた合成樹脂製のカバー部とを有する回動自在の鍵本体と、木質部に埋設され、木質部の表面から露出する部分がカバー部によって覆われた重りと、を備えていることを特徴とする。
【００１２】
この構成によれば、回動自在の鍵本体の木質部に重りが埋設され、その木質部の表面から露出する部分が、合成樹脂製のカバー部によって覆われる。これにより、木質部に埋設された重りは、外部から見えることがなく、したがって、押鍵時における所望のタッチ重さを確保しながら、見栄えの良い鍵を得ることができる。
【００１３】
請求項４に係る発明は、請求項３に記載の鍵盤楽器の鍵において、木質部には、外方に開放する凹部が形成されており、重りは、凹部に嵌入された状態で、木質部に埋設されていることを特徴とする。
【００１４】
この構成によれば、鍵本体に取り付けられる重りは、木質部に形成された凹部に嵌入された状態で埋設されるので、重りを容易にかつしっかりと木質部に取り付けることができる。また、重りは、木質部とカバー部に覆われているので、鍵本体から脱落したり、凹部からはみ出したりすることがない。
【図面の簡単な説明】
【００１５】
【図１】本発明の第１実施形態による鍵盤楽器の鍵を示す図であり、（ａ）は鍵の外観を示す斜視図、（ｂ）は重りの取付け前の状態を拡大して示す斜視図、（ｃ）は重りを取り付けた状態を拡大して示す断面図である。
【図２】本発明の第２実施形態による鍵盤楽器の鍵を示す図であり、（ａ）は鍵の外観を示す斜視図、（ｂ）は重りの取付け前の状態を拡大して示す斜視図である。
【図３】第２実施形態による鍵の変形例を説明するための図であり、（ａ）は重り用の凹部が木質部の前方に開放した状態、（ｂ）は重り用の凹部が木質部の上方及び前方に開放した状態を示す。
【発明を実施するための形態】
【００１６】
以下、図面を参照しながら、本発明の好ましい実施形態を詳細に説明する。図１は、本発明の第１実施形態による鍵盤楽器の鍵を示している。この鍵１は、電子ピアノなどの鍵盤に適用される白鍵であり、図示しない黒鍵とともに、左右方向に多数（例えば８８鍵）並設されることにより、鍵盤を構成する。図１に示すように、この鍵１は、前後方向に延びる鍵本体２と、この鍵本体２に取り付けられた左右２つの重り３、３と、これらの重り３、３を鍵本体２に固定するためのリベット４（固定手段）などを備えている。
【００１７】
鍵本体２は、所定種類の木質材から成り、前後方向に所定長さ延びるとともに横断面が矩形の木質部１１と、この木質部１１の前部に取り付けられた合成樹脂製の鍵カバー１２とを有している。木質部１１は、前後方向の中央よりも後ろ側の所定位置に、上下方向に貫通するバランスピン孔１３が形成されており、このバランスピン孔１３を介して、立設するバランスピン（図示せず）に係合することにより、鍵１が回動自在に支持されている。
【００１８】
また、図１（ｂ）及び（ｃ）に示すように、木質部１１の左右側面には、それらの前部の所定位置に、外方に開放する凹部１４、１４が形成されている。これらの凹部１４、１４は、互いに同一で、所定の形状（本実施形態では丸形）及び深さを有している。また、木質部１１には、両凹部１４、１４を連通し、所定の径を有する連通孔１５が形成されている。
【００１９】
鍵カバー１２は、前後方向に所定長さ延びる上カバー部１２ａと、この上カバー部１２ａの前端部から直角に屈曲して下方に延びる前カバー部１２ｂとで構成され、側面形状がＬ字状に形成されている。そして、この鍵カバー１２は、上カバー部１２ａが木質部１１の上面前部を、前カバー部１２ｂが木質部１１の前面全体を覆った状態で、これらに接着されている。
【００２０】
重り３は、所定種類の金属板（例えば鉄板）から成り、所定の形状及び所定の厚さを有している。具体的には、重り３は、木質部１１の凹部１４の形状と同様、丸形に形成され、凹部１４の深さよりも薄く形成されている。これにより、重り３は、全体が木質部１１の凹部１４に収容されるようになっている。また、重り３は、貫通した取付孔３ａを有しており、この取付孔３ａは、木質部１１の連通孔１５と同様の径を有するとともに、重り３が凹部１４に収容された状態において、木質部１１の前記連通孔１５に合致する位置に形成されている。
【００２１】
リベット４は、木質部１１の連通孔１５及び各重り３の取付孔３ａに挿通可能な径を有するとともに所定の長さを有する軸部４ａと、この軸部４ａの一端部に設けられた頭部４ｂとを有している。そして、このリベット４により、木質部１１の左右の凹部１４、１４に収容された２つの重り３、３が固定されている。すなわち、両重り３、３の取付孔３ａ及び木質部１１の連通孔１５にリベット４の軸部４ａを貫通させた状態で、軸部４ａの頭部４ｂと反対側の端部（図１（ｃ）の上端部）が加圧変形されている。このように、両重り３、３は、リベット４によるかしめにより、木質部１１にしっかりと固定されている。
【００２２】
以上のように、本実施形態の鍵１によれば、板状の２つの重り３、３を、リベット４によるかしめによって、鍵本体２の木質部１１の左右両側に固定するので、重りの取付けの際に、その一部を鍵本体に食い込ませる従来と異なり、鍵本体２の木質部１１に亀裂を生じさせることがない。したがって、押鍵時における所望のタッチ重さを確保しながら、両重り３、３を鍵本体２に容易に取り付けることができ、また、亀裂がなく、見栄えの良い鍵１を得ることができる。
【００２３】
図２は、本発明の第２実施形態による鍵盤楽器の鍵を示している。なお、以下の説明では、上述した第１実施形態と同一の構成部分については、同一の符号を付すものとする。
【００２４】
図２（ａ）に示すように、この鍵２１では、木質部１１の前端部に重り２２が埋設されている。具体的には、同図（ｂ）に示すように、木質部１１の前端部には、上方に開放しかつ横断面が円形の所定サイズの凹部２３が形成されている。一方、重り２２は、木質部１１の凹部２３と同一のサイズを有する所定種類の金属（例えば鉄製の丸棒）で構成されており、木質部１１の凹部２３に嵌入されている。なお、この凹部２３に嵌入された重り２２は、その上面が木質部１１の上面と面一になっている。
【００２５】
また、木質部１１の前部には、前記第１実施形態の鍵１と同様、鍵カバー１２（カバー部）が接着されている。すなわち、鍵カバー１２は、上カバー部１２ａが木質部１１の上面前部及び重り２２の上面全体を、前カバー部１２ｂが木質部１１の前面を覆った状態で、これらに接着されている。
【００２６】
なお、木質部１１に対する重りの埋設は、例えば図３（ａ）及び（ｂ）にそれぞれ示すような凹部３３及び４３に重り３２及び４２を嵌入するようにしてもよい。すなわち、同図（ａ）では、木質部１１の前端部に形成された凹部３３は、前方に開放しかつ横断面が円形に形成されている。この凹部３３に嵌入された重り３２は、その前面が木質部１１の前面と面一になり、鍵カバー１２の前カバー部１２ｂによって覆われる。一方、同図（ｂ）では、木質部１１の前端部に形成された凹部４３は、上方及び前方に開放し、側面形状が扇状に形成されている。この凹部４３に嵌入された重り４２は、その上面及び前面がそれぞれ、木質部１１のそれらと面一になり、鍵カバー１２の上カバー部１２ａ及び前カバー部１２ｂによって覆われる。
【００２７】
以上のように、本実施形態の鍵２１によれば、木質部１１の凹部２３（以下、凹部３３及び４３を含む）に嵌入された重り２２（以下、重り３２及び４２を含む）は、その上面及び／又は前面が木質部１１の表面から露出するものの、それらの露出した部分が、鍵カバー１２の上カバー部１２ａ及び／又は前カバー部１２ｂによってそれぞれ覆われる。これにより、木質部１１に埋設された重り２２は、外部から見えることがない。したがって、押鍵時における所望のタッチ重さを確保しながら、見栄えの良い鍵２１を得ることができる。
【００２８】
また、上記の鍵２１は、例えば次のように作製することができる。まず、木質部１１の前後方向の長さ及び上下方向の高さとそれぞれ同じ前後方向の長さ寸法及び厚さを有するとともに、左右方向に複数の木質部１１分の所定の長さ寸法を有する板状の木質材を準備する。次いで、この木質材の前端部に、左右方向に沿って所定間隔ごとに複数の凹部２３を形成し、これらの凹部２３に重り２２をそれぞれ嵌入する。次いで、複数の鍵カバー１２を、複数の重り２２を覆うようにしながら、左右方向に並設した状態で木質材の前端部に接着する。なお、複数の鍵カバー１２は、互いに左右方向に連なる単一の成形品であってもよい。その後、木質材を、前後方向に沿って、互いに隣接する鍵カバー１２、１２間で切断する。これにより、木質材から複数の木質部１１が切り出され、重り２２及び鍵カバー１２を有する複数の鍵２１を、効率よく作製することができる。
【００２９】
なお、本発明は、説明した上記実施形態に限定されることなく、種々の態様で実施することができる。実施形態では、鍵１、２１の大部分が木質部１１で構成されたいわゆる木製鍵盤の鍵に本発明を適用したが、本発明はこれに限定されるものではなく、鍵の大部分が合成樹脂で構成されたいわゆるプラスチック鍵盤であっても、その鍵の内部に木質部を有するものにも適用することができる。
【００３０】
また、第１実施形態では、本発明の固定手段としてリベット４を採用し、このリベット４のかしめによって、左右２つの重り３、３を鍵本体２の木質部１１に取り付けたが、固定手段として、例えばボルト及びナットを採用することも可能である。
【００３１】
また、各実施形態で示した鍵本体２及び重り３、２２の細部の構成などは、あくまで例示であり、本発明の趣旨の範囲内で適宜、変更することができる。例えば、重り３、２２の形状については、丸形や扇形以外に矩形や多角形にすることも可能であり、重り３、２２の数については、取り付けられる鍵１に要求されるタッチ重さなどに応じて適宜、増減することが可能である。加えて、重り３、２２の材質についても、鉄以外の金属や、比較的比重の大きい種々の材料（金属と合成樹脂との複合材など）を採用することも可能である。
【符号の説明】
【００３２】
１    鍵
２    鍵本体
３    重り
３ａ  取付孔
４    リベット（固定手段）
１１    木質部
１２    鍵カバー（カバー部）
１４    凹部
１５    連通孔
２１    鍵
２２    重り
２３    凹部
３２    重り
３３    凹部
４２    重り
４３    凹部
【図１】
2014191254.tif 000003
【図２】
2014191254.tif 000004
【図３】
2014191254.tif 000005